(57)【要約】      （修正有）【課題】対象物を輸送するための真空システムにおける真空発生器を制御するための方法である。【解決手段】真空システム（１０）は、圧縮空気流によって駆動される真空発生器（３）を含み、真空グリッパ手段（６）と流れ接続されるように構成され、圧縮空気を供給するように構成された第２のバルブ（２）と、システム圧力（Ｐ）を監視するために、集中圧力センサ（４）と、真空システムコントローラ（５）と、を含み、オン／オフバルブ（１）が空気を流していない場合には、真空システムコントローラ（５）は真空発生がない状態を示し、第２のバルブ（２）はある量の圧縮空気がブローオフのために流入し、解放サイクルごとの、容積および流量制限に関して特徴付けられる真空システム特性を使用するステップと、補償係数（ｋ）を使用することにより、完全に均圧（Ｅ）されている期間を算出するためにブローオフ後の圧力伝播を解析するステップと、を含む。【選択図】図１
2018021546.tif 000002
【特許請求の範囲】
【請求項１】
対象物を輸送するための真空システム（１０）における真空発生器（３）を制御するための方法であって、前記真空システム（１０）は、第１のオン／オフバルブ（１）を介して圧縮空気流によって駆動される真空発生器（３）を含み、前記真空発生器（３）は、前記圧縮空気流の結果として真空グリッパ手段（６）に真空を供給するために、前記真空システム（１０）に含まれる前記真空グリッパ手段（６）と流れ接続されるように構成され、前記真空システム（１０）は、前記真空システム（１０）に圧縮空気を供給するように構成された第２のバルブ（２）と、前記真空システム（１０）内部のシステム圧力（Ｐ）を監視するために、および適応的ブローオフのために使用される１つの集中圧力センサ（４）と、真空システムコントローラ（５）と、を含み、
前記オン／オフバルブ（１）が前記真空発生器（３）に空気を流していない場合には、前記真空システムコントローラ（５）は真空発生がない状態を示し、前記第２のバルブ（２）は作動され、典型的には開放されて、ある量の圧縮空気がブローオフのために前記真空システム（１０）に流入することを可能にし、ブローオフ機能のブローオフ能力に関係し、かつブローオフが終了され、前記システムに注入された過剰な空気が前記真空グリッパ手段（６）を通して解放される解放サイクルごとの、容積および流量制限に関して特徴付けられる真空システム特性を使用するステップと、補償係数（ｋ）を使用することにより、前記真空グリッパ手段の一部において前記真空システム（１０）が完全に均圧（Ｅ）されている期間を算出するためにブローオフ後の圧力伝播を解析するステップと、を含み、前記補償係数（ｋ）は、次の解放サイクルのために記憶され、使用されることを特徴とする方法。
【請求項２】
システム圧力（Ｐ）が連続的に監視される、請求項１に記載の方法。
【請求項３】
システム圧力（Ｐ）が定期的に監視される、請求項１に記載の方法。
【請求項４】
前記真空システム（１０）に流入され得る圧縮空気の量は、前の解放サイクルの補償係数（ｋ）に基づいて決定される、請求項１、２、または３に記載の方法。
【請求項５】
対象物を輸送するための真空システム（１０）における真空発生器（３）を制御するためのコントローラ（５）であって、前記真空システム（１０）は、第１のオン／オフバルブ（１）を介して圧縮空気流によって駆動される真空発生器（３）を含み、前記真空発生器（３）は、前記圧縮空気流の結果として真空グリッパ手段（６）に真空を供給するために、前記真空システム（１０）に含まれる前記真空グリッパ手段（６）と流れ接続されるように構成され、前記真空システム（１０）は、前記真空システム（１０）に圧縮空気を供給するように構成された第２のバルブ（２）と、前記真空システム（１０）内部のシステム圧力（Ｐ）を監視するために、および適応的ブローオフのために使用される１つの集中圧力センサ（４）と、真空システムコントローラ（５）と、を含み、前記コントローラ（５）は、前記第１のオン／オフバルブ（１）、前記第２のバルブ（２）および前記圧力センサ（４）と通信するように構成され、前記オン／オフバルブ（１）が前記真空発生器（３）に空気を流していない場合には、前記真空システムコントローラ（５）は真空発生がない状態を示し、前記第２のバルブ（２）は作動され、典型的には開放されて、ある量の圧縮空気がブローオフのために前記真空システム（１０）に流入することを可能にし、前記コントローラ（５）は、ブローオフ機能のブローオフ能力に関係し、かつブローオフが終了され、前記システムに注入された過剰な空気が前記真空グリッパ手段を通して解放される解放サイクルごとの、容積および流量制限に関して特徴付けられる真空システム特性を使用し、補償係数（ｋ）を使用することにより、前記真空グリッパ手段の一部において前記真空システム（１０）が完全に均圧（Ｅ）されている期間を算出するためにブローオフ後の圧力伝播を解析するように構成され、前記補償係数（ｋ）は、次の解放サイクルのために記憶され、使用されることを特徴とするコントローラ（５）。
【請求項６】
前記コントローラ（５）は、システム圧力（Ｐ）を連続的に監視するように構成される、請求項５に記載のコントローラ（５）。
【請求項７】
前記コントローラ（５）は、真空システム圧力（Ｐ）を定期的に監視するように構成される、請求項５に記載のコントローラ（５）。
【請求項８】
前記真空システム（１０）に流入され得る圧縮空気の量は、前の解放サイクルの補償係数（ｋ）に基づいて決定される、請求項５、６、または７に記載のコントローラ（５）。
【請求項９】
対象物を輸送するための真空システム（１０）であって、前記真空システム（１０）は、第１のオン／オフバルブ（１）を介して圧縮空気流によって駆動される真空発生器（３）を含み、前記真空発生器（３）は、前記圧縮空気流の結果として真空グリッパ手段（６）に真空を供給するために、前記真空システム（１０）に含まれる前記真空グリッパ手段（６）と流れ接続されるように構成され、前記真空システム（１０）は、前記真空システム（１０）に圧縮空気を供給するように構成された第２のバルブ（２）と、前記真空システム（１０）内部のシステム圧力（Ｐ）を監視するために、および適応的ブローオフのために使用される１つの集中圧力センサ（４）と、真空システムコントローラ（５）と、を含み、前記コントローラ（５）は、前記第１のオン／オフバルブ（１）、前記第２のバルブ（２）および前記圧力センサ（４）と通信するように構成され、前記オン／オフバルブ（１）が前記真空発生器（３）に空気を流していない場合には、前記真空システムコントローラ（５）は真空発生がない状態を示し、前記第２のバルブ（２）は作動され、典型的には開放されて、ある量の圧縮空気がブローオフのために前記真空システム（１０）に流入することを可能にし、前記コントローラ（５）は、ブローオフ機能のブローオフ能力に関係し、かつブローオフが終了され、前記システムに注入された過剰な空気が前記真空グリッパ手段を通して解放される解放サイクルごとの、容積および流量制限に関して特徴付けられる真空システム特性を使用し、補償係数（ｋ）を使用することにより、前記真空グリッパ手段の一部において前記真空システム（１０）が完全に均圧（Ｅ）されている期間を算出するためにブローオフ後の圧力伝播を解析するように構成され、前記補償係数（ｋ）は、次の解放サイクルのために記憶され、使用されることを特徴とする真空システム（１０）。
【請求項１０】
前記コントローラ（５）は、真空システム圧力（Ｐ）を連続的に監視するように構成される、請求項９に記載の真空システム（１０）。
【請求項１１】
前記コントローラ（５）は、真空システム圧力（Ｐ）を定期的に監視するように構成される、請求項９に記載の真空システム（１０）。
【請求項１２】
前記ブローオフが終了した場合、点（Ｆ）に、前記システム（１０）、または前記コントローラ（５）は、中央制御システムにクリア信号を送信するように構成される、請求項９に記載の真空システム。
【発明の詳細な説明】
【技術分野】
【０００１】
本開示は、吸着カップまたは同様の装置に適用可能な負圧を生成するために、圧縮空気によって駆動される真空発生器を含む真空システムの制御方法およびコントローラに関する。
【背景技術】
【０００２】
本発明は、包括的には材料ハンドリングシステムに関し、より詳細には、真空発生器と吸着カップとを含む真空システムの動作により対象物と係合し、対象物に実質的に封止される材料ハンドリングシステムの吸着カップのための真空発生器を制御することに関する。実質的に平坦な対象物またはパネルなどの対象物と係合するように移動し、対象物を持ち上げて所望の位置に移動させるように構成された吸着カップなどを含む材料ハンドリングシステムを提供することが知られている。吸着カップは、対象物と係合するように移動することができ、真空発生器は、対象物が所望の位置に搬送されるときに対象物が吸着カップに保持されるように、対象物と吸着カップとの間に真空を生成するように作動することができる。
【０００３】
吸着カップで生成される真空は、真空システム内の真空発生器によって供給され、これにより加圧空気が真空発生器に供給または提供される。
【０００４】
真空が発生しないように真空発生器への空気供給が停止されると、真空システム内の真空は、真空システムをシステム外の大気に接続する通気口を通して消散し、真空がシステム内およびカップ内で十分な量まで消散すると、吸着カップを対象物から解放することができる。
【０００５】
従来技術の装置は、例えば、欧州特許第１０６４４６４号には、輸送または持ち上げのために使用される負圧を生成するための真空エジェクタポンプが開示されている。また、米国特許第７９５０４２２号には、材料ハンドリングシステム用の自動リリース真空装置が開示されている。
【０００６】
産業生産ラインにおけるサイクル時間を短縮するために、吸着カップからの対象物の能動的解放のための装置を有する真空発生器を提供することが知られている。
【０００７】
従来技術の装置は、例えば、欧州特許第Ｂ１−２２６３０１１号には、高圧空気によって駆動され、吸着カップによって把持される対象物を能動的に解放するように構成された手段を有する真空発生器が開示されている。
【０００８】
能動的解放は、例えば、いわゆる「ブローオフ」を作動させることによって提供することができる。ブローオフは、吸着カップによって把持された対象物を解放するために、真空システムに圧縮空気を積極的に供給することを意味する。
【０００９】
圧縮空気を使用したブローオフは、圧縮空気の消費があるという事実によりエネルギー使用の点で、またブローオフに時間がかかるという事実によりサイクル時間が長くなるという点で高価である。それにもかかわらず、ブローオフは、対象物が解放するのに十分な長い時間作動させなければならないが、好ましくはエネルギーを節約しサイクルタイムを短縮するためには可能な限り短く作動させなければならない。
【００１０】
したがって、通常のブローオフは真空システムでは一定の時間に設定されるが、ブローオフが作動する時間が依然として対象物を解放するのに十分な長さであることを保証するため、ブローオフは通常、サイクルごとに対象物が一貫して解放されることを保証するのに必要な時間より長く作動される。
【００１１】
また、真空システムの他の要因がブローオフ作動持続時間に影響する。例えば、グリッパの設計は、ブローオフ効率およびブローオフ作動時間に影響する多くのものを変化させる。影響を与える他の要因は、例えば、真空チャネルの寸法、チャネルの容積および真空システムの他の部分である。
【００１２】
また、吸着点の数、ならびにブローオフのための圧縮空気注入点である。
【００１３】
問題は、各吸着点の真空圧力を検出するには、複数の真空センサおよび典型的に複雑なデータ管理が必要であるということである。
【先行技術文献】
【特許文献】
【００１４】
【特許文献１】欧州特許第１０６４４６４号
【特許文献２】米国特許第７９５０４２２号明細書
【特許文献３】欧州特許第Ｂ１−２２６３０１１号
【発明の概要】
【発明が解決しようとする課題】
【００１５】
本発明の１つの目的は、上述の欠点を排除するか、または少なくとも緩和する真空エジェクタ装置を制御するための方法、制御ユニットおよび真空システムを提供することである。
【課題を解決するための手段】
【００１６】
上記の目的は、独立請求項の態様および実施形態による本発明によって達成される。好ましい実施形態は、従属請求項に記載されている。
【００１７】
本発明の態様によれば、単一の集中真空圧力センサのみを使用し、ブローオフが終了したとみなされ、ブローオフバルブが閉じられるまでの間に「ブローオフバルブ」を作動させる、典型的には「ブローオフバルブ」を開放する集中真空システムにおける適応ブローオフが提供される。したがって、ブローオフバルブの開放および／または特に閉鎖が制御される。
【００１８】
一実施形態によれば、対象物を輸送するための真空システムにおける真空発生器を制御するための方法が提供される。真空システムは、第１のオン／オフバルブを介して圧縮空気流によって駆動される真空発生器を含む。真空発生器は、圧縮空気流の結果として真空グリッパ手段に真空を供給するために、真空システムに含まれる真空グリッパ手段と流れ接続されるように構成される。真空システムは、真空システムに圧縮空気を供給するように構成された第２のバルブと、真空システム内部のシステム圧力を監視するために、および適応的ブローオフのために使用される１つの集中圧力センサと、真空システムコントローラと、をさらに含む。オン／オフバルブが真空発生器に空気を流していない場合には、真空システムコントローラは真空発生がない状態を示し、第２のバルブは作動され、典型的には開放されて、ある量の圧縮空気がブローオフのために真空システムに流入することを可能にし、本方法は、ブローオフ機能のブローオフ能力に関係し、かつブローオフが終了され、システムに注入された過剰な空気が真空グリッパ手段を通して解放される解放サイクルごとの、容積および流量制限に関して特徴付けられる真空システム特性を使用するステップと、補償係数を使用することにより、真空グリッパ手段の一部において真空システムが完全に均圧されている期間を算出するためにブローオフ後の圧力伝播を解析するステップと、を含み、補償係数は、次の解放サイクルのために記憶され、使用される。
【００１９】
別の態様によれば、対象物を輸送するための真空システムにおける真空発生器を制御するためのコントローラが提供される。真空システムは、第１のオン／オフバルブを介して圧縮空気流によって駆動される真空発生器を含む。真空システムの一部である真空発生器は、圧縮空気流の結果として真空グリッパ手段に真空を供給するために、真空システムに含まれる真空グリッパ手段と流れ接続されるように構成され、真空システムは、真空システムに圧縮空気を供給するように構成された第２のバルブを含む。
【００２０】
真空発生器は、圧縮空気流の結果として真空グリッパ手段に真空を供給するために、真空システムに含まれる真空グリッパ手段と流れ接続されるように構成される。真空システムは、真空システムに圧縮空気を供給するように構成された第２のバルブと、真空システム内部のシステム圧力を監視するために、および適応的ブローオフのために使用される１つの集中圧力センサと、真空システムコントローラと、をさらに含む。オン／オフバルブが真空発生器に空気を流していない場合には、真空システムコントローラは真空発生がない状態を示し、第２のバルブは作動され、典型的には開放されて、ある量の圧縮空気がブローオフのために真空システムに流入することを可能にし、コントローラは、ブローオフ機能のブローオフ能力に関係し、かつブローオフが終了され、システムに注入された過剰な空気が真空グリッパ手段を通して解放される解放サイクルごとの、容積および流量制限に関して特徴付けられる真空システム特性を使用し、補償係数を使用することにより、真空グリッパ手段の一部において真空システムが完全に均圧されている期間を算出するためにブローオフ後の圧力伝播を解析するように構成され、補償係数は、次の解放サイクルのために記憶され、使用される。
【００２１】
別の態様によれば、対象物を輸送するための真空システムが提供される。真空システムは、第１のオン／オフバルブを介して圧縮空気流によって駆動される真空発生器を含み、真空発生器は、圧縮空気流の結果として真空グリッパ手段に真空を供給するために、真空システムに含まれる真空グリッパ手段と流れ接続されるように構成される。真空発生器は、圧縮空気流の結果として真空グリッパ手段に真空を供給するために、真空システムに含まれる真空グリッパ手段と流れ接続されるように構成される。真空システムは、真空システムに圧縮空気を供給するように構成された第２のバルブと、真空システム内部のシステム圧力を監視するために、および適応的ブローオフのために使用される１つの集中圧力センサと、真空システムコントローラと、をさらに含む。オン／オフバルブが真空発生器に空気を流していない場合には、真空システムコントローラは「もはや真空を発生させない」というように真空発生がない状態を示し、第２のバルブは作動され、典型的には開放されて、ある量の圧縮空気がブローオフのために真空システムに流入することを可能にし、コントローラは、ブローオフ機能のブローオフ能力に関係し、かつブローオフが終了され、システムに注入された過剰な空気が真空グリッパ手段を通して解放される解放サイクルごとの、容積および流量制限に関して特徴付けられる真空システム特性を使用し、補償係数を使用することにより、真空グリッパ手段の一部において真空システムが完全に均圧されている期間を算出するためにブローオフ後の圧力伝播を解析するように構成され、補償係数は、次の解放サイクルのために記憶され、使用される。
【００２２】
本発明の目的は、各吸着ポイントにセンサを必要とせずに、複数のセンサを必要とする各吸着ポイントの真空を検出してエジェクタ駆動真空システムの問題を解決することである。したがって、１つの集中センサのみが必要とされる。
【００２３】
これはまた、複雑なデータ管理の問題を解決する。
【００２４】
本発明は、様々な態様および実施形態によれば、限定するものではないが、エネルギー節約を備えた吸着カップ付きグリッパを有する人間工学的持ち上げ装置を用いる用途において頻繁に遭遇する問題を解決する。
【００２５】
本発明は、本発明の実施形態が概略的に示されている添付の図面を参照して以下により詳細に説明される。
【図面の簡単な説明】
【００２６】
【図１】真空発生器を含む真空システム１０内の真空発生器用の制御ユニットの実施の概略図である。
【図２】圧力対サイクル時間の解放サイクル図である。
【発明を実施するための形態】
【００２７】
対象物の輸送のための真空システム１０における本発明の実施の一般的な説明については、最初に図１を参照する。
【００２８】
本発明の一実施形態を図１を参照して説明する。ここで、真空システムの上記の説明に対応する実施形態の詳細は、図１において前に使用した対応する符号によって示す。
【００２９】
真空システム１０は、第１のオン／オフバルブ１、または圧縮空気流を制御するための他の手段を介して圧縮空気流によって駆動される真空発生器３を含み、真空発生器３は、真空システム１０の一部であり、真空発生器３への圧縮空気の流れの結果として真空グリッパ６に真空を供給するために、真空システム１０に含まれる１つまたは複数の真空グリッパ６と流れ接続されるように構成される。真空システム１０は、作動され、典型的には開放されて圧縮空気を真空システム１０に供給するように構成された第２のバルブ２を含む。図１において、線Ｐ空気源は、圧縮空気供給源「空気源」から第１のバルブ１を介して真空発生器３への圧縮空気の流れの方向を示す。空気供給源「空気源」は、典型的には、圧縮空気を真空発生器３、すなわち第１のバルブ１に供給するためであり、さらに圧縮空気をシステム１０内に、例えば、図に示すように、異なる供給接続部１ａおよび１ｂを介して真空チャンバ１１（これに限定されない）内に供給することを可能にするために第２のバルブ２に供給するためである。
【００３０】
圧力センサ４は、システム圧力Ｐを監視するために、真空システム１０の内部またはそこにまたはその中心に配置されている。真空システム１０は、「コントローラ」と呼ばれる真空システムコントローラ５をさらに含む。一例として、これに限定されるものではないが、バルブ１、２は、直接作動するソレノイドバルブであってもよいし、あるいは誘導されたバルブを作動させるパイロットバルブとして作動してもよく、ブローオフが終了したとみなされ、ブローオフバルブが閉じられるまでの期間に真空発生器（第１のバルブ１）および／または真空システム１０（第２のバルブ２）に圧縮空気を供給することができる。このように、この実施形態によれば、この実施形態のみに限定されるが、特に、ブローオフバルブ（第２のバルブ２）の開放および／または特に閉鎖が制御される。また、第１のバルブ１も閉鎖されていてもよいが、必ずしも必要ではない。
【００３１】
典型的には、コントローラ５は、第１のオン／オフバルブ１と、ならびに第２のバルブ２および圧力センサ４と通信するように構成される。真空システム１０、および／または真空発生器３は、コントローラ５および制御バルブ１、２、ならびにシステム圧力センサ４（時には圧力計とも呼ばれる）と一体化することができ、後者は、真空システム１０、例えば真空チャンバ１１内のシステム圧力Ｐを監視するために使用することができる。
【００３２】
コントローラ５は、真空発生器３だけでなく真空システムの他の部分も制御するために使用される既存のコントローラに実装された特定の制御アルゴリズムを含む構成要素によって画定され、および／または作動されてもよい。
【００３３】
ここで、真空デューティサイクル（圧力対サイクル時間）Ａ−Ｇ、および特に解放サイクルＣ−Ｇを示す図２を参照する。スケールは模式的なものに過ぎないので、単位は必要ないと考えられる。
【００３４】
Ａ点では、真空システム圧力Ｐは約０であり、真空システム１０の排気が開始され、Ｂでは真空システムの排気が完了し、グリッパ６によって対象物を把持することができる。
【００３５】
オン／オフバルブ１が真空発生器３に空気を流していない場合には、コントローラ５が、例えば第１のバルブ１または真空発生器３自体からの信号によって真空発生がない状態を示して、解放サイクルＣ−Ｇを開始し、おそらくは、ブローオフを作動させる前に大気圧に排気した後に、コントローラ５は、第２のバルブ２を作動させる、典型的には開放するように構成され、ある量の圧縮空気をブローオフのために真空システム１０に流入させることができる。
【００３６】
オン／オフバルブ１が真空発生器３に空気を流していない場合には、真空システムコントローラ５は真空発生がない状態（上記を参照）を示し、第２のバルブ２は作動され、ある量の圧縮空気がブローオフのために真空システム１０に流入することを可能にし、点Ｃでブローオフが開始される。点Ｃ−Ｄでは、解放流パターンが実現され、点Ｄでは、真空容積に対して流れの平衡が確立される。Ｄ〜Ｅでは、真空システム圧力は、システム容積、チャネル（配管）の寸法、ブローオフ能力、および真空システムへの大気からの漏れ（例えば、多孔質の対象物、または把持された対象物に対して密封するグリッパ手段での漏れによる）のうちの１つまたは複数に依存する速度で均圧される。Ｅ点〜Ｆ点において、真空システムは、真空発生器３およびセンサ４から遠く離れたグリッパの部分で完全に均圧されている。ＦからＧにおいてブローオフが終了し、第２のバルブ２を介して真空システム１０に注入された過剰な圧縮空気は、典型的にはグリッパ手段６の吸着カップ（図１に概略的にのみ示す）を介してグリッパ手段６を通して解放される。
【００３７】
一実施形態による本発明の方法によれば、真空システム特性が使用され、ブローオフ機能のブローオフ能力に関係し、かつブローオフが終了され、システムに注入された過剰な空気が真空グリッパ手段６を通して解放される解放サイクルごとの、容積および流量制限に関して特徴付けられ、補償係数ｋを使用することにより、真空グリッパ手段の一部において真空システム１０が完全に均圧Ｅされている期間を算出するためにブローオフ後の圧力伝播を解析し、補償係数ｋは、次の解放サイクルのために記憶され、使用される。
【００３８】
集中センサ４からのＣとＥとの間の圧力データを解析することにより、真空システム特性は、ブローオフ機能のブローオフ能力に関連した容積および流量制限に関して特徴付けられる。
【００３９】
以下の式１で与えられる時間微分は、
ｔ∈Ｃ→Ｄにおいてｄｐ／ｄｔ（ｐ（ｔ））  式１
真空システムの流量制限に関連する流量能力のデータを提供する。
【００４０】
式２で与えられる時間微分は、
ｔ＝Ｄにおいてｄｐ／ｄｔ（ｐ（ｔ））  式２
流量能力に関連する真空容積のデータを提供する。
【００４１】
ｄｐ／ｄｔ（ｐ（ｔ））＝０  式３
が確立するまでＤ〜Ｅの圧力データ関数を解析することによって、（時間）点Ｅが発生し、式１のデータを組み合わせて、点Ｅが発生する絶対圧力レベルが、補償係数ｋを用いてＥ〜Ｆの持続時間が計算される完全なデータセットを提供する。
【００４２】
すべてのサイクルについて、ＦからＧへの圧力伝播が解析され、補償係数ｋが記憶され、次のサイクルに使用される。
【００４３】
典型的には、解析は、（図２に示すように）すべての真空デューティサイクルに対して真空発生器３および／またはセンサ４内で一意的に統合されて実行される。
【００４４】
典型的には、これに限定されないが、１つのシステム圧力センサ４のみが使用されるので、追加のセンサおよび外部機能は必要ない。上述したように、各真空グリッパ６、例えば吸着カップには複数のセンサは必要でなく、中央に配置された１つのセンサまたは集中センサのみが必要である。
【００４５】
本発明の目的は、各吸着ポイントにセンサを必要とせずに、複数のセンサを必要とする各吸着ポイントの真空を検出してエジェクタ駆動真空システムの問題を解決することである。したがって、１つの集中センサのみが必要とされる。
【００４６】
これはまた、複雑なデータ管理の問題を解決する。
【００４７】
一実施形態によれば、真空システム１０内に許容される圧縮空気の量は、真空システム１０内に許容された前の解放サイクルの空気体積の持続時間に基づいて決定される。種々の実施形態による、コントローラおよび本発明の制御方法は、前の動作サイクルに基づいて、真空システム１０に許容される圧縮空気の量を適合させる。
【００４８】
ブローオフは、用途のバリエーションを過大に補うことなく、必要なだけ作動されるので、無駄はない。
【００４９】
コントローラ５または本発明の方法は、使用するために手動による介入または設定を必要としない。これは、オペレータによる集中的な手作業をしばしば必要とする、あるいは大気への適切な通気を確実にするためにオペレータが制御パラメータを設定するのに不必要な長い時間がかかる従来技術の装置と比較して有利である。また、性能を向上させるために各サイクルが評価され、自動的に使用されるので、手動による設定と較正は必要ない。
【００５０】
ブローオフは自動的に用途に適応するので、オペレータがブローオフをトリミングおよび調整する必要性は、一態様による本発明によってもはや必要とされない。本発明は使い易い。
【００５１】
この実施形態の利点は、方法およびコントローラ５が連続的に適応しており、アプリケーションの実際の必要性によって、必要に応じて必要なだけ頻繁にかつ必要な時間だけ起動されるためである。
【００５２】
システム圧力Ｐは、連続的または定期的に監視され得る。
【００５３】
一実施形態によれば、それぞれの以前の解放サイクルが解析され、そのパラメータは自律的に再評価される。
【００５４】
別の実施形態によれば、点Ｆにおいて、ブローオフが終了したことを示すクリア信号が中央制御システム（図示せず）に送信される。真空システム１０またはコントローラ５は、クリア信号を送信するように構成することができる。
【００５５】
図１に概略的に示す真空発生器３は、典型的には、エジェクタとして実現される。真空グリッパ手段６は、真空発生器３から共通に供給される吸着カップとして、または吸着カップのセットとして実現することができる。
【００５６】
図１は、本発明を説明するための真空システムの一般的なレイアウトを単に示しているに過ぎず、当業者には周知のように、真空システムを所望の機能に適合させるために、実際の真空システムは追加のバルブ、センサ、および流れ接続を含んでもよいことに留意されたい。
【００５７】
一例として、この実施例におけるコントローラ５を規定および／または動作させる構成要素は、１つまたは複数の汎用または専用コンピューティングデバイス上で実行される専用のソフトウェア（またはファームウェア）によって実装されてもよい。このようなコンピューティングデバイスは、１つまたは複数の処理ユニット、例えば、ＣＰＵ（「中央処理装置」）、ＤＳＰ（「デジタル信号プロセッサ」）、ＡＳＩＣ（「特定用途向け集積回路」）、個別アナログおよび／またはデジタル構成要素、あるいはＦＰＧＡ（「フィールド・プログラマブル・ゲートアレイ」）などのプログラム可能な論理デバイスを含むことができる。この文脈において、コントローラ５の各「構成要素」は、アルゴリズムの概念的な等価物を指すと理解するべきであって、構成要素とハードウェアまたはソフトウェアルーチンの特定の部分との間には必ずしも一対一の対応があるとは限らない。１つのハードウェアは、時には異なる構成要素を含む。例えば、処理ユニットは、１つの命令を実行するときには１つの構成要素として働き、別の命令を実行するときには他の構成要素として働くことができる。また、１つの構成要素は、場合によっては１つの命令で実装されてもよいが、他の場合には複数の命令によって実装されてもよい。コンピューティングデバイスは、システムメモリと、システムメモリを含む様々なシステム構成要素を処理ユニットに結合するシステムバスと、をさらに含むことができる。システムバスは、メモリバスもしくはメモリコントローラ、周辺バス、および様々なバスアーキテクチャのいずれかを使用するローカルバスを含むいくつかのタイプのバス構造のいずれかであってもよい。システムメモリは、読み出し専用メモリ（ＲＯＭ）、ランダムアクセスメモリ（ＲＡＭ）およびフラッシュメモリなどの揮発性および／または不揮発性メモリの形態のコンピュータ記憶媒体を含むことができる。専用ソフトウェアは、システムメモリに格納することができるか、あるいは磁気媒体、光媒体、フラッシュメモリカード、デジタルテープ、ソリッドステートＲＡＭ、ソリッドステートＲＯＭなどの、コンピューティングデバイスに含まれるかまたはコンピューティングデバイスにアクセス可能な他の取り外し可能／取り外し不可能な揮発性／不揮発性コンピュータ記憶媒体に格納することができる。コンピューティングデバイスは、シリアルインターフェース、パラレルインターフェース、ＵＳＢインターフェース、無線インターフェース、ネットワークアダプタなどの１つまたは複数の通信インターフェースを含むことができる。１つまたは複数のＩ／Ｏデバイスは、通信インターフェースを介して、コンピューティングデバイスに接続することができ、それはキーボード、マウス、タッチスクリーン、ディスプレイ、プリンター、ディスクドライブなどを含む。専用ソフトウェアは、記録媒体、読み出し専用メモリ、または電気的キャリア信号を含む、任意の適切なコンピュータ可読媒体でコンピューティングデバイスに提供することができる。
【００５８】
通常、コントローラおよび方法を動作させるためのすべての機能は、１つの小型パッケージに含まれている。
【００５９】
加圧真空のみが開示されているが、本発明はこれに限定されず、他の負のタイプの真空ポンプ、またはブローオフ時間の予測のための真空システムにも適用可能である。
【００６０】
本発明は、添付の特許請求の範囲において規定され、上に提示した教示から当業者によって理解され得る本発明の上記および他の変更を包含する。
【図１】
2018021546.tif 000003
【図２】
2018021546.tif 000004
【外国語明細書】
2018021546000001.pdf